(57)【要約】【課題】栽培槽を一方向に連ねて一定の高さに架設する高設栽培装置の架台の構築作業を容易にすると共に、ハウス内に複数の高設栽培装置を並列に設置するハウス栽培施設におけるハウスの単位面積当りの収穫量を大幅にアップさせる。【解決手段】栽培槽２を一方向に連ねて地面３より高位置に架設する高設栽培装置１の架台４が、ハウス内の地面３に直接設置されずに、その地面３に所定間隔で平行に敷設された複数本のレール５、５…と直交する方向に栽培槽２、２…を連ねるように配置されて、レール５、５…上を移動可能な台車６に設置搭載されている。【選択図】  図１
2004187615.tif 000002
【特許請求の範囲】
【請求項１】
植物を植える栽培槽と、該栽培槽を一方向に連ねて地面より高位置に架設する架台とで成る高設栽培装置において、前記架台（４）が、地面に所定間隔で平行に敷設された複数本のレール（５）と直交する方向に前記栽培槽（２）を連ねるように配置されて、前記レール（５）上を移動可能な台車（６）に設置搭載されていることを特徴とする高設栽培装置。
【請求項２】
前記架台（４）が、前記栽培槽（２）を一方向に連結する連結具（７）と、該連結具（７）を前記台車（６）の上方に支持する支柱（８）とで構築される請求項１記載の高設栽培装置。
【請求項３】
前記台車（６）が、前記架台（４）を設置搭載するデッキ部（９）と、該デッキ部（９）を前記レール（５）上に沿って移動させるコロ（１０）もしくは車輪とで成る請求項１又は２記載の高設栽培装置。
【請求項４】
前記デッキ部（９）に、前記架台（４）を構築する支柱（８）を差し込んで突き立てる支柱取付孔（１５）が設けられている請求項３記載の高設栽培装置。
【請求項５】
前記レール（５）が、等辺山形鋼で成る請求項１、２、３又は４記載の高設栽培装置。
【請求項６】
植物を植える栽培槽と、該栽培槽を一方向に連ねて地面より高位置に架設する架台とで成る複数の高設栽培装置が、ハウス内に並列に設置されたハウス栽培施設において、前記各高設栽培装置（１）の架台（４）が、ハウス（１８）内の地面（３）に所定間隔で平行に敷設された複数本のレール（５）と直交する方向に前記栽培槽（２）を連ねるように配置されて、各々前記レール（５）上を移動可能な台車（６）に設置搭載されていることを特徴とするハウス栽培施設。
【発明の詳細な説明】
【０００１】
【発明の属する技術分野】
本発明は、イチゴなどの植物を植える栽培槽と該栽培槽を一方向に連ねて地面より高位置に架設する架台とで成る高設栽培装置と、これを設けたハウス栽培施設に関する。
【０００２】
【従来の技術】
イチゴのハウス栽培に用いられる従来の高設栽培装置は、イチゴの苗を植え付けて生育させる樋形あるいはプランタン形の栽培槽と、該栽培槽を一方向に連ねて地面より高位置に架設する架台とで構成されており、その架台は、一連の栽培槽をハウス内の地面に直接突き立てた多数の支柱によってイチゴの栽培作業や収穫作業が立ち姿勢で行なえる一定の高さに支持するようになっている（特許文献１参照）。
【０００３】
【特許文献１】
特許第３２４９６８６号公報（第５−７頁、第１図及び第６図）
【０００４】また、高設栽培装置を設けた従来のハウス栽培施設は、その概略的な平面図を図３に示すと、ビニールハウス３１あるいはガラス張りハウスの内部に、複数の高設栽培装置３２、３２…が通路３３となる一定の間隔をあけて並列に設置されるのが一般的である。つまり、高設栽培装置３２と通路３３が交互に設けられるので、高設栽培装置３２がｎ列並列に設置されるハウス３１内には、少なくとも（ｎ−１）本の通路が形成されることとなる。
【０００５】
【発明が解決しようとする課題】
しかしながら、図３の如く高設栽培装置３２と通路３３とが交互に設けられる従来のハウス栽培施設は、高設栽培装置３２の設置数を増やせば、それに応じて通路３３の本数も増加することとなるので、ハウス３１の単位面積当りの収穫量をアップさせることができす、また、ハウス３１全体が大型化してその設置面積も拡大するため、ハウス３１の建設コストが嵩むと同時に、ハウス３１内の温度調節を行なう冷暖房機・換気扇等の設備費及びランニングコストも著しく嵩むという問題があった。
【０００６】また、各高設栽培装置３２が通路３３となる一定の間隔をあけて並列に設置されていると、夫々の栽培槽に植えられたイチゴに万遍なく日差しが当るので、その点ではイチゴの生育にとって好ましい状態であると言えるが、通路３３の数が多いと、ハウス３１内の冷暖房効率が良くないし、冷え込みの厳しい寒冷期や夜間は、ハウス３１内を暖房しても、ハウス３１の端に近い場所は冷たい外気の影響を受けて気温が著しく低下するため、その端近くに沿って設置した高設栽培装置３２で栽培されるイチゴが低温による生育不良を生ずるおそれがあった。
【０００７】また、ハウス３１の設置面積を出来るだけ小さくするために、各通路３３の幅は、人が歩行できる７０〜８０ｃｍ程度しか確保されていないので、車椅子を利用するお年寄や身障者がハウス３１内で栽培作業を行なうことはできないし、高設栽培装置の栽培槽に入れられた培土の入換え作業を行なう際に、その培土運搬用の猫車を通路３３内で方向転換することができないという不便があった。
【０００８】更に、特許文献１の如く、高設栽培装置の架台は、一連の栽培槽を支持する多数の支柱を地面に直接突き立てて構築するため、それら各支柱を栽培槽の支持ポイントとなる所定位置に突き立てる作業や、各支柱ごとに栽培槽を支持する高さを調整する作業が非常に面倒であった。
【０００９】すなわち、架台を構築する際は、各支柱を突き立てる場所を位置決めしたり、地面に突き立てた各支柱ごとに栽培槽を支持する高さを調整しなければならないという面倒があった。また、各支柱で支持する栽培槽の高さを一定に揃えるように調整しても、時間の経過に伴って、地面に突き立てた支柱が栽培槽に入れた培土の重みで徐々に沈下したり傾いたりして、架台に架設した一連の栽培槽が全体的に歪んだりその高さが不揃いになるおそれがあった。
【００１０】そこで本発明は、ハウスの単位面積当りの収穫量とハウス内の冷暖房効率を従来に比べて大幅にアップさせると同時に、昼間は、ハウス内で高設栽培される植物に万遍なく日差しを当てることができ、また、冷え込みの厳しい寒冷期や夜間は、ハウスの端近くで高設栽培される植物をその端から遠ざけて低温による生育不良を防止することができ、また、必要に応じて隣接する高設栽培装置間に通路を形成することができると同時に、通路の幅を車椅子や猫車が通れて方向転換も可能な程度まで広げることができ、更に、高設栽培装置の架台を容易に且つ迅速に構築することができると同時に、その架台に架設された栽培槽を一定の高さに保持できるようにすることを技術的課題としている。
【００１１】
【課題を解決するための手段】
上記の課題を解決するために、請求項１の発明は、植物を植える栽培槽と、該栽培槽を一方向に連ねて地面より高位置に架設する架台とで成る高設栽培装置において、前記架台が、地面に所定間隔で平行に敷設された複数本のレールと直交する方向に前記栽培槽を連ねるように配置されて、前記レール上を移動可能な台車に設置搭載されていることを特徴とする。
【００１２】本発明の高設栽培装置は、植物を植える栽培槽を一方向に連ねて架設する架台が、地面に所定間隔で平行に敷設された複数本のレール上を移動可能な台車に設置搭載されるので、その架台が栽培槽を多数の支柱で支持するものであっても、従来の如く支柱が地中に沈下して栽培槽の高さが不揃いになるおそれはない。また、例えば、台車に、架台を構築する各支柱を所定位置に突き立てる一定深さの孔を予め設けることによって、架台の構築作業を容易に且つ迅速に行なうこともできる。
【００１３】次に、請求項５の発明は、植物を植える栽培槽と、該栽培槽を一方向に連ねて地面より高位置に架設する架台とで成る複数の高設栽培装置が、ハウス内に並列に設置されたハウス栽培施設において、前記各高設栽培装置の架台が、ハウス内の地面に所定間隔で平行に敷設された複数本のレールと直交する方向に前記栽培槽を連ねるように配置されて、各々前記レール上を移動可能な台車に設置搭載されていることを特徴とする。
【００１４】本発明のハウス栽培施設は、複数の高設栽培装置を並列に設置するハウス内に少なくとも通路一つ分の空きスペースを確保すれば、各高設栽培装置を互いに接近又は離反する方向に移動させることにより、いずれの高設栽培装置についても随時これと平行な通路を形成することができるので、従来の如く高設栽培装置と通路とを交互に設ける必要がない。したがって、ハウス全体を従来に比べて小型で設置スペースの小さいものとすることができ、ハウスの単位面積当りの収穫量や冷暖房効率も大幅にアップさせることができる。
【００１５】更に、ハウス内に確保する通路一つ分の空きスペースを車椅子や猫車の方向転換が可能な幅にしておけば、車椅子を利用するお年寄や身障者でも栽培作業を行なうことができ、猫車による培土の入換え作業も容易になる。
【００１６】また、昼間は、各高設栽培装置を互いに離反させることにより、各々の栽培槽に植えられた植物に万遍なく日差しを当てることができ、冷え込みが厳しい寒冷期や夜間は、各高設栽培装置を互いに接近させることにより、それらをハウスの中央に寄せ集めるか、あるいは少なくともハウスの最も端寄りに設置された高設栽培装置をその端から遠ざける方向に移動させて、低温よる生育不良を防止することができる。
【００１７】
【発明の実施の形態】
以下、本発明の実施形態を図面によって具体的に説明する。
図１は本発明に係る高設栽培装置の一例を示す斜視図、図２はその高設栽培装置を設けたハウス栽培施設の一例を概略的に示す平面図である。
【００１８】図１の高設栽培装置１は、イチゴなどの植物を植える栽培槽２と、該栽培槽２を一方向に連ねて地面３より高位置に架設する架台４とで成り、その架台４が、地面３に所定間隔で平行に敷設された複数本のレール５、５…と直交する方向に栽培槽２を連ねるように配置されて、レール５、５…上を移動可能な台車６に搭載されている。
【００１９】高設栽培装置１の架台４は、プラスチックで樋形に成形された一定長さの栽培槽２を一方向に連ねるように連結する連結具７と、該連結具７を台車６の上方に支持する支柱８とで構築されている。
【００２０】台車６は、架台４を設置搭載するデッキ部９と、該デッキ部９を等辺山形鋼で成る各レール５上に沿って移動させる複数のコロ１０もしくは車輪とで構成されている。
【００２１】台車６のデッキ部９は、レール５、５…と直交する方向に延設された左右一対の形鋼１１Ｒ、１１Ｌで形成され、該形鋼１１Ｒ、１１Ｌは、連結具７の左右両端を支持する支柱８、８を差し込む支柱取付孔１５が長手方向に沿って一定の間隔で形成された水平な上板部１２と、該上板部１２の支柱取付孔１５から差し込まれる支柱８を沿わせて垂直に立てさせる垂直な中板部１３と、その支柱８を均一な高さに揃えて立てさせる水平な下板部１４とを有するＨ形鋼もしくはＩ形鋼が用いられている。また、その中板部１３には、これに沿わせて垂直に立てた支柱８を締め止めて固定するＵボルト等の支柱締止具１６が一定の間隔で取り付けられている。
【００２２】なお、レール５、５…上を転動するコロ１０、１０…は、連結シャフト２０で同軸的に連結されて互いに連動可能に構成され、台車６の前端部に位置するコロ１０の突端部２１を任意の回転駆動装置で正逆方向に回転させて、高設栽培装置１の架台４が設置搭載された台車６をレール５、５…に沿って左右方向に移動させるようになっている。
【００２３】そして、図１の高設栽培装置１を設けた図２のハウス栽培施設１７は、ハウス１８内の地面３に、そのハウス１８の入口１９から見て前後方向に沿って所定の間隔で複数本のレール５、５…が平行に敷設される共に、複数の高設栽培装置１、１…が、各々その架台４をレール５、５…と直交する方向に栽培槽２を連ねるように配置して、レール５、５…上を移動可能な台車６に設置搭載した状態で、ハウス１８の入口１９から見て左右方向に並列に並んで設置されている。
【００２４】ハウス１８内は、図２（ａ）の如く、高設栽培装置１、１…の設置スペース以外に、少なくとも通路一本分の空きスペースＳが確保されて、高設栽培装置１、１…を左右方向に移動させることにより、いずれの高設栽培装置１についても随時これと平行な通路を形成することができるようになっている。
【００２５】そして、昼間は、図２（ｂ）の如く、互いに隣接する高設栽培装置１及び１間に、空きスペースＳを等分割してなる隙間Ｌを生じさせて、各々の栽培槽２に植えられた植物に万遍なく日差しを当てることができる。
【００２６】また、寒冷期や夜間は、図２（ｃ）の如く、高設栽培装置１、１…をハウス１８の中央に寄せ集めて、冷たい外気の影響で気温が著しく低下するハウス１８の左右両端から高設栽培装置１を遠ざけることにより、低温よる生育不良を防止することができる。
【００２７】また、ハウス１８内に高設栽培装置１を三以上並列に設置する場合は、その設置スペースを従来に比べて少なくとも通路１本以上小さくすることができるので、ハウス１８を小型化して該ハウスの設置面積も小さくすることができると同時に、ハウス１８の冷暖房効率や、ハウス１８の単位面積当りの収穫量を大幅にアップさせることができる。
【００２８】また、ハウス１８内に確保する空きスペースＳの幅を１〜２ｍ程度とすれば、隣接する高設栽培装置１、１間に猫車や車椅子の通行と方向転換が可能な通路を形成することができるので、車椅子を利用するお年寄や身障者でも栽培作業を行なうことができ、猫車による培土の入換え作業も容易になる。
【００２９】更に、高設栽培装置１の架台４は、地面３に直接設置されずに、地面３に敷設されたレール５、５…上を移動可能な台車６に設置搭載されるので、栽培槽２を一定の高さに支持する支柱８が、培土を入れた栽培槽２の重みで地中に沈下して栽培槽２の高さが不揃いになるおそれがない。
【００３０】また、架台４は、各支柱８を台車６のデッキ部９に予め形成された支柱取付孔１５に差し込むだけで、それら各支柱８を栽培槽２の連結具７を支持する所定位置に突き立てることができると同時に、各支柱８の高さを均一に揃えることができるので、連結具７を支持する高さを各支柱８ごとに調整する面倒もなく、連結具７で連結する一連の栽培槽２、２…を速やかに一定の高さに揃えて架設することができるから、その架台４の構築作業が著しく容易になる。
【００３１】また、デッキ部９の支柱取付孔１５に差し込んで突き立てた各支柱８を支柱締止具１６で固定すれば、栽培槽２の重みで支柱８が傾いて一連の栽培槽２、２…に歪みが生じたりその栽培槽２の高さが不揃いになることもない。
【００３２】また、ハウス１８内の地面３に敷設したレール５に多少の歪みが生じても、該レール５が、台車６のコロ１０に対する接点が小さい等辺山形鋼で形成されていれば、その歪みを許容することができるので、台車６が移動不能になるという不具合を生ずるおそれもない。
【００３３】
【発明の効果】
本発明は、高設栽培装置の架台を地面に直接設置せずに、地面に所定間隔で平行に敷設されたレール上を移動可能な台車に設置搭載するので、その架台の構築作業や、架台に一連の栽培槽を一定の高さに揃えて架設する作業を容易に且つ迅速に行うことができると共に、架台に架設した一連の栽培槽に歪みなどが生じてその高さが不揃いになることを確実に防止することができる。
【００３４】また、本発明は、ハウス内に複数の高設栽培装置を並列に設置するハウス栽培施設におけるそのハウスの単位面積当りの収穫量とハウス内の冷暖房効率を従来に比べて大幅にアップさせることができ、更に、昼間は、各高設栽培装置の栽培槽に植えられた植物に万遍なく日差しを当てることができ、冷え込みの厳しい寒冷期や夜間は、ハウスの端近くに設置された高設栽培装置をそのハウスの端から遠ざけて低温による生育不良を防止することができるという種々の優れた効果がある。
【図面の簡単な説明】
【図１】本発明に係る高設栽培装置の一例を示す斜視図
【図２】図１の高設栽培装置を設けたハウス栽培施設を概略的に示す平面図
【図３】従来の高設栽培装置を設けたハウス栽培施設を概略的に示す平面図
【符号の説明】
１………………高設栽培装置
２………………栽培槽
３………………地面
４………………架台
５………………レール
６………………台車
７………………連結具
８………………支柱
９………………デッキ部
１０………………コロ
１７………………ハウス栽培施設
１８………………ハウス
【図１】
2004187615.tif 000003
【図２】
2004187615.tif 000004
【図３】
2004187615.tif 000005